(57)【要約】      （修正有）【課題】高さ調整して使用できる衝立を提供する。【解決手段】脚体２１と、脚体２１から起立した下枠体２８と、下枠体２８に対し一部どうしが上下摺動可能に相対的に挿入する関係にある上枠体２９と、前記上下摺動により高さが調整された上枠体２９を下枠体２８に対して係止する枠体係止装置と、上端が上枠体２９の上端部に取り付けられて上枠体２９及び下枠体２８の枠内空間を覆うように垂下する幕体１５と、幕体１５をその下端側から巻き付ける巻軸１８と、前記巻き付けにより丈が調整された幕体１５を巻軸１８から巻き解かれないようにする巻解停止装置１９、２６とを備えた衝立。【選択図】図１
0003176167.tif 000002
【実用新案登録請求の範囲】
【請求項１】
脚体と、脚体から起立した下枠体と、下枠体に対し一部どうしが上下摺動可能に相対的に挿入する関係にある上枠体と、前記上下摺動により高さが調整された上枠体を下枠体に対して係止する枠体係止装置と、上端が上枠体の上端部に取り付けられて上枠体及び下枠体の枠内空間を覆うように垂下する幕体と、幕体をその下端側から巻き付ける巻軸と、前記巻き付けにより丈が調整された幕体を巻軸から巻き解かれないようにする巻解停止装置とを備えた衝立。
【請求項２】
巻解停止装置が、巻軸に設けられた被係止部材と、下枠体の下部に設けられて前記被係止部材を係止する係止部材とからなる請求項１記載の衝立。
【請求項３】
被係止部材と係止部材とが、面ファスナーの一方と他方とである請求項２記載の衝立。
【請求項４】
幕体の上端が上枠体の上端部に着脱可能に取り付けられた請求項１〜３のいずれか一項に記載の衝立。
【請求項５】
２枚の幕体の各上端が上枠体の上端部の前後両面に取り付けられた請求項１〜４のいずれか一項に記載の衝立。
【請求項６】
横に並べた複数の衝立を互いに連結する連結装置を備えた請求項１〜５のいずれか一項に記載の衝立。
【考案の詳細な説明】
【技術分野】
【０００１】
本考案は、広間の間仕切や、祭壇、演壇、展示等の背景装飾等として用いられる衝立に関するものである。
【背景技術】
【０００２】
斎場等において葬儀等を行う広間は、参列者の人数等を考慮し、祭壇等を含め会場の設営が行われている。特に近年の葬儀は、少子化の影響等で参列者が少なくなる傾向にある。また、家族葬や、直葬等が多くなってきている。そのため、葬儀毎に間仕切等で広間を仕切りその大きさを調節する（会場を小さくする）機会も多くなっている。また、幕布等を用いて会場の装飾等も行われている。ところで、広間を仕切る間仕切には、広間に備え付けの移動間仕切が用いられている。しかし、この移動間仕切は、天井から懸垂された状態で移動できるようにするため、予め広間の天井にガイドを設けておかなくてはならなかった。その上、ガイドに沿ってしか移動できないことから、広間のレイアウトに制約をきたしていた。
【０００３】
そこで、本考案者は、特許文献１において、広間等のように天井が高い（床から天井までの高さが約３００ｃｍ）ところの間仕切として使用できる衝立を提案した。この衝立は、枠体にアルミニウム材を用い、この枠体に布製の幕体を垂下させていることから、軽量で取扱い易いと好評を得ている。
【先行技術文献】
【特許文献】
【０００４】
【特許文献１】実用新案登録第３１６１０９２号公報
【考案の概要】
【考案が解決しようとする課題】
【０００５】
しかし、特許文献１の実施例１、２の衝立は、使用時における高さ調整ができないことから、天井が低いところでは使用できなかった。一方、特許文献１の実施例３の衝立は、使用時における高さ調整はできるものの、その高さに合わせた丈の幕体を用意しなくてはならないことから、事実上、用意できた幕体の丈に合わせた高さでしか使用することができなかった。
【０００６】
そこで、本考案は、高さ調整して使用できる衝立を提供することを目的とする。
【課題を解決するための手段】
【０００７】
上記課題を解決するため、本考案の衝立は、脚体と、脚体から起立した下枠体と、下枠体に対し一部どうしが上下摺動可能に相対的に挿入する関係にある上枠体と、前記上下摺動により高さが調整された上枠体を下枠体に対して係止する枠体係止装置と、上端が上枠体の上端部に取り付けられて上枠体及び下枠体の枠内空間を覆うように垂下する幕体と、幕体をその下端側から巻き付ける巻軸と、前記巻き付けにより丈が調整された幕体を巻軸から巻き解かれないようにする巻解停止装置とを備えた。
【０００８】
本考案の衝立は、上枠体の高さ及び幕体の丈が調整できることから、幕体による制約を受けることなく、高さ調整して使用することができる。
高さ調整の態様は、高さを最大と最小との二段階に調整する態様、高さを最大と最小とその中間との三以上の連続しない段階に調整する態様、高さを最大から最小まで連続的に調整する態様がある。
【０００９】
また、衝立は、幕体の上端が上枠体の上端部に着脱可能に取り付けられていることが好ましい。これは、容易に幕体を取り替えることができ、使われる広間等に合わせた装飾性に優れた幕体を選択して垂下することで、祭壇等の背景装飾に用いることができるからである。また、幕体は、衝立の正面（片面）だけに垂下してもよいが、衝立の正面及び背面に幕体を垂下することで、衝立によって仕切られたそれぞれの空間の見栄えがよくなることから、２枚の幕体の各上端が上枠体の上端部の前後両面に取り付けられていることが好ましい。また、それぞれの空間毎の趣が変わることから、衝立の正面及び背面の幕体は互いに模様や色彩等のデザインが異なるものであることがより好ましい。幕体の素材は、特に限定されないが、織布、不織布等の布、樹脂等のフィルム、紙等が例示できる。
【００１０】
また、上枠体の上端部に幕体を着脱可能に取り付ける手段は、特に限定されないが、幕体への接合が容易であり、且つ上枠体への幕体の着脱が容易であることから面ファスナーであることが好ましい。
【００１１】
巻軸の形状は、特に限定されないが、巻き付けた幕体に折れ目等の線が付き難いことから、円柱状、楕円柱状又は長円柱状が好ましく、より好ましくは円柱状である。
【００１２】
巻解停止装置の態様は、特に限定されないが、巻軸に設けられた被係止部材と、下枠体の下部に設けられて被係止部材を係止する係止部材とからなる態様が例示できる。また、被係止部材と係止部材とは、特に限定されないが、着脱が容易であることから、面ファスナーの一方と他方とであることが好ましい。
【００１３】
複数の衝立を横方向に並べて広間等を仕切るときに、横方向に隣接する衝立どうしを連結できることから、横に並べた複数の衝立を互いに連結する連結装置を備えていることが好ましい。
【００１４】
下枠体及び上枠体の材質は、特に限定されないが、アルミニウム等の金属、ポリエチレン等の樹脂、厚紙等の紙等が例示でき、強度があり且つ軽量で取扱い易いことから、アルミニウムが好ましい。また、下枠体及び上枠体に用いられる材料の形態は、特に限定されないが、管材、棒材、チャンネル等が例示できる。アルミニウム材の場合には、強度を確保しつつ軽量にできることから、アルミニウム管であることが好ましい。但し、上枠体の一部が挿入される下枠体の部位又は下枠体の一部が挿入される上枠体の部位は、アルミニウムチャンネルであることが好ましい。これは、アルミニウムチャンネルにすることで、挿入された部材の上下摺動を邪魔することなく、前記連結部材を設けることができるからである。
【００１５】
脚体の態様は、特に限定されないが、平面視において枠体と直交する複数のものであることが好ましい。また、脚体の本数は、特に限定されないが、数が少ないほど軽量になることから、二本であることが好ましい。また、脚体の長さは、特に限定されないが、衝立の安定性と軽量化のバランスが図れることから、衝立の最大高さに対する比が０．１〜０．３であることが好ましく、０．１５〜０．２５であることがより好ましい。また、脚体の材質は、特に限定されないが、アルミニウム等の金属、ポリエチレン等の樹脂、厚紙等の紙等が例示でき、強度があり且つ軽量で取扱い易いことから、アルミニウムが好ましい。また、脚体に用いられる材料の形態は、特に限定されないが、管材、棒材等が例示できる。
【００１６】
枠体係止装置の態様は、特に限定されないが、下枠体及び上枠体に穿設されたピン孔とピン孔に挿脱可能に挿通されて上枠体を下枠体に係止する係止ピンとからなる態様や、下枠体及び上枠体の一方に螺合し、他方を押圧することで上枠体を下枠体に係止する押しネジからなる態様等が例示できる。
【考案の効果】
【００１７】
本考案によれば、高さ調整して使用できる衝立を提供することができる。
【図面の簡単な説明】
【００１８】
【図１】実施例１の衝立を最大高さにしたときの正面側から見た斜視図である。
【図２】幕布の一部を破断させた同衝立を最大高さにしたときの背面側から見た斜視図である。
【図３】同衝立を最小高さにしたときの正面側から見た斜視図である。
【図４】同衝立の下枠体の正面側から見た斜視図である。
【図５】同衝立の枠体の正面側から見た斜視図である。
【図６】同衝立の上横棹付近の斜視図である。
【図７】同衝立の下縦棹の下部付近の斜視図である。
【図８】同衝立の連結片付近の斜視図である。
【図９】同衝立の枠体を変形させたときの正面図である。
【図１０】実施例２の衝立の正面側から見た斜視図である。
【図１１】実施例３の衝立の正面側から見た斜視図である。
【図１２】実施例４の衝立の正面側から見た斜視図である。
【考案を実施するための形態】
【実施例１】
【００１９】
本考案の第１の実施例の衝立１０について図１〜９を用いて説明する。
【００２０】
衝立１０は、床面上に互いに離間して並ぶ二本の脚体２１と、正面視が略矩形状の枠体２０と、それぞれ模様が異なる２枚の幕体１５とを備えている。
【００２１】
脚体２１は、長さが４８０ｍｍの扁平状のアルミニウムの角管からなり、平面視において、枠体２０と略直交している。また、両端には樹脂製のキャップ３０が嵌着して、脚体２１の両端の開口を封止している。
【００２２】
枠体２０は、３本のアルミニウムの角管を接合してなる下枠体２８と、１本のアルミニウムの角管と２本のアルミニウムのチャンネルとを接合してなる上枠体２９とからなる。枠体２０に用いたアルミニウムの角管は、一辺が２２ｍｍと２０ｍｍとであり、厚さが１ｍｍのものであった。また、枠体２０は、床面から下枠体２８の上端までの高さが１８００ｍｍであり、床面から上枠体２９の上端までの最大高さが２７００ｍｍであり、幅が９００ｍｍであった。なお、枠体の高さや幅は、特に限定されないが、広間等の間仕切として用いる場合には、最大高さは２０００〜３５００ｍｍであることが好ましく、より好ましくは２５００〜３０００ｍｍである。また、幅は、５００〜２０００ｍｍであることが好ましく、より好ましくは７００〜１２００ｍｍである。
【００２３】
下枠体２８は、２本の脚体２１の長さ方向（前後方向）の略中央に載置され、左右方向に延び、この２本の脚体２１に接合されて、支持されている下横棹２５と、それぞれの下端が下横棹２５の左右両端に接合され、略垂直に起立している２本の下縦棹２２とを備えている。下横棹２５と下縦棹２２との接合はリベットにより鋲着されている。
【００２４】
各下縦棹２２の側面には、後述する係止ピン３５を挿通するための下ピン孔３６が縦方向に４０ｍｍピッチで５箇所穿設されている。
【００２５】
上枠体２９は、それぞれ下縦棹２２に摺動可能に外嵌し、上方へと略垂直に延び、上枠体２９の枠内空間側が開口したアルミニウムのチャンネルからなる２本の上縦棹２３と、左右方向へ延び、各上縦棹２３の上端に左右両端が接合して、上縦棹２３を連結している、アルミニウムの角管からなる上横棹２４とを備えている。上縦棹２３と上横棹２４との接合はリベットにより鋲着されている。
【００２６】
各上縦棹２３の側面には、１８００〜２７００ｍｍの範囲で枠体２０の高さが調整できるよう、後述する係止ピン３５を挿通するための上ピン孔３７が縦方向に５０ｍｍピッチで２２箇所穿設されている。
【００２７】
上横棹２４の前面及び後面には、横棹面ファスナー３８が取着されている。
【００２８】
上枠体２９は、上ピン孔３７と下ピン孔３６とに係止ピン３５を挿通することで、その高さ（係止ピン３５が挿通される上ピン孔３７と下ピン孔３６との高さが同じになる高さ）において、下降しないように下枠体２８に係止されている。上ピン孔３７、下ピン孔３６及び係止ピン３５が枠体係止装置３４である。
【００２９】
一方の下縦棹２２及び上縦棹２３には、後面に、ピン状の係合突起３３が突設されている。他方の下縦棹２２及び上縦棹２３には、それそれ係合突起３３に対応する後面の位置に、係合突起３３と係合するための係合溝３２ａが切られた板状の係合片３２が回転可能に軸着されている。係合突起３３及び係合片３２が連結装置３１である。
【００３０】
幕体１５は、幅が約９００ｍｍ、長さが約２７００ｍｍの矩形状の織布からなり、上端には、幕体面ファスナー１６が縫着され、下端には、巻軸機構１７が取着されている。横棹面ファスナー３８に幕体面ファスナー１６が接着することで、幕体１５は、上横棹２４に吊り付けられた状態で枠体２０の枠内空間及び枠体２０を略覆うように垂下している。幕体１５の表面には、模様がインクジェットプリントされている。
【００３１】
巻軸機構１７は、幕体１５の下端に取着され、長さが約９００ｍｍの中空円柱状の巻軸１８と、巻軸１８の両端に基端部が取着されている巻軸面ファスナー１９とからなっている。巻軸機構１７は、巻軸１８を回転させることで、幕体１５を巻軸１８に巻き付けたり、巻軸１８から巻き解いたりして、幕体１５の丈を調整する。また、巻軸面ファスナー１９の先端部を下縦棹２２の下部に取着されている縦棹面ファスナー２６に接着することで、巻軸１８が回転しないようにして、幕体１５が下枠体２８に取り付けられる。巻軸面ファスナー１９及び縦棹面ファスナー２６が巻解停止装置である。
【００３２】
衝立１０の使い方について説明する。
【００３３】
保管されていた衝立１０を用いて広間の仕切りをする場合について説明する。
【００３４】
保管時の衝立１０は、通常、幕体１５と枠体２０とが、別々になっている。また、図５のａに示すように、枠体２０は、上枠体２９を下方へ退入させ、上枠体２９の上端と下枠体２８の上端とを略同じ高さにして、全高を低くした保管状態になっている。また、幕体１５は、巻軸１８に巻き付けられて丸まっている。
【００３５】
この保管状態から、枠体２０は、図５のｂに示すように、上枠体２９を上方へ繰り出して所望の高さ（但し、いずれかの上ピン孔３７と下ピン孔３６との高さが同じになる高さ）にする。なお、上ピン孔３７は５０ｍｍピッチで設けられ、下ピン孔３６は４０ｍｍピンチで設けられていることから、上枠体２９の高さ、即ち、枠体２０の高さは、１０ｍｍ刻みで調整することができる。
【００３６】
枠体２０はその高さを維持するよう、即ち、上枠体２９が下方へ退入しないよう、互いに同じ高さにある上ピン孔３７と下ピン孔３６とに係止ピン３５の軸部３５ａを挿通して、上枠体２９を下枠体２８に係止する。
【００３７】
また、図６に示すように、横棹面ファスナー３８と幕体面ファスナー１６とを接着して、２枚の幕体１５を上横棹２４に吊り付けて垂下させる。そして、巻軸１８を回転して、巻き付けられて丸まっている幕体１５を枠体２０の枠内空間が覆える長さまで巻き解いて延伸させる。
【００３８】
その後、図７に示すように、下縦棹２２の周りを半周するように、巻軸面ファスナー１９と縦棹面ファスナー２６とを接着して、巻軸１８が回転することで巻き付けた幕体１５が巻軸１８から巻き解かれて延伸しないように、巻軸１８を下枠体２８の下部に取り付ける。
【００３９】
このようにして、衝立１０は、正面及び背面がともに、幕体１５により枠内空間及び枠体２０が略覆われた衝立となる。
【００４０】
また、複数の衝立１０を幅方向に並べて使用する場合には、図８に示すように、互いに隣接する衝立１０の一方の衝立１０の係合片３２を回動させて、他方の衝立１０の係合突起３３に係合させて、隣接する衝立１０どうしを互いに連結する。
【００４１】
次に、使用された衝立１０を撤去・保管する場合について説明する。
【００４２】
この場合は、上記の場合と逆に、各面ファスナーどうしの接着を外して、枠体２０から幕体１５を外す。幕体１５は、巻軸１８に巻き付けて丸める。一方、枠体２０は、係止ピン３５を下ピン孔３６及び上ピン孔３７から抜出した後、上枠体２９を下方へ退入させて保管状態にする。なお、保管状態において、互いに同じ高さにある上ピン孔３７と下ピン孔３６とに係止ピン３５を挿通しておくことで、保管時等に係止ピン３５を亡失することが防止できるとともに、運搬時等に上枠体２９が下枠体２８から脱落することを防止できる。
【００４３】
また、隣接する複数の衝立１０を連結して使用した場合には、係合片３２をそれぞれ回動させて隣接する衝立１０どうしの連結を外す。
【００４４】
本実施例の衝立１０によれば、次の（ａ）〜（ｌ）の効果が得られる。
（ａ）幕体１５が上横棹２４から垂下していることから、幕体１５と上横棹２４との間に隙間がなく、枠体２０の上端までが幕体１５によって覆われている。
（ｂ）枠体２０の上端までが幕体１５により覆われることから、枠体２０の上端まで視線を遮断でき、天井付近の隠蔽されない空間を小さくすることができる。
（ｃ）枠体２０の最大高さを２７００ｍｍにしたことで、斎場等の広間の間仕切として用いるときでも天井との間の空間が小さくなり、見栄え良く広間を仕切ることができる。
（ｄ）枠体２０及び脚体２１をアルミニウムの角管及びチャンネルで形成し、壁面を布製の幕体１５で形成していることから、軽量となり取扱が容易である。
（ｅ）上枠体２９が下枠体２８に対し上下摺動可能であることから、不使用時等に天井が低い場所でも枠体２０を起立した状態で保管することができ、保管による枠体２０の変形が起きにくくなる。
【００４５】
（ｆ）１８００〜２７００ｍｍの範囲において高さ調整できる。それ故、天井が低い広間等でも使用することができる。
（ｇ）また、１０ｍｍ刻みで高さ調整できる。それ故、会場に適した高さにして使用することができる。
（ｈ）巻軸１８に巻き付けることで幕体１５の丈を調整でき、且つ面ファスナー１９、２６の接着により、巻軸１８が回転しないようになって、巻軸１８に巻き付けられた幕体１５が巻軸１８から巻き解かれて延伸しないことから、幕体１５の丈による制約を受けることなく高さ調整して使用することができる。
【００４６】
（ｉ）幕体１５が着脱可能であることから、広間等に合わせた装飾性の高い幕体１５を選択して垂下させることで祭壇等の背景装飾として用いることができる。
（ｊ）正面及び背面に模様が異なる幕体１５が垂下されていることから、衝立１０によって仕切られたそれぞれの空間の趣を変えることができる。
（ｋ）互いに隣り合う衝立どうしを連結できることから、横方向の長さを自由に設定することができる。
（ｌ）下横棹２５と下縦棹２２との接合及び上横棹２４と上縦棹２３との接合がリベットによる鋲着であることから、図９に示すように、枠体２０を平行四辺形に変形することができ、傾斜している場所でも使用することができる。
【実施例２】
【００４７】
本考案の第２の実施例の衝立５０について図１０を用いて説明する。
この衝立５０は、下枠体２８及び上枠体２９の中間部に、アルミニウムの角管からなる補強棹５１、５２が設けられている点が実施例１の衝立１０と異なり、その他の点については衝立１０と同じである。なお、図１０において、衝立１０と同じ部材には、同じ符号を付している。
【００４８】
下枠体２８に設けられている下補強棹５１は、左右方向に略水平に延びている。左右両端はＬ字状に屈曲した固定金具を介して下縦棹２２に取着されている。
【００４９】
上枠体２９に設けられている上補強棹５２は、左右方向に略水平に延びている。左右両端は上縦棹２３にリベットで鋲着されている。
【００５０】
本実施例の衝立５０によれば、実施例１の衝立１０で得られる上記（ａ）〜（ｋ）の効果に加え、次の（ｍ）の効果が得られる。
（ｍ）補強棹５１、５２により、下枠体２８及び上枠体２９が補強されていることから、保管時及び運搬時に枠体２０が変形しにくい。
【実施例３】
【００５１】
本考案の第３の実施例の衝立６０について図１１を用いて説明する。
この衝立６０は、上横棹６１が上方へ湾曲している点が実施例２の衝立５０と異なり、その他の点については衝立５０と同じである。なお、図１１において、衝立５０と同じ部材には、同じ符号を付している。
【００５２】
本実施例の衝立６０によれば、実施例２の衝立５０で得られる効果と同じ効果を得ることができる。
【実施例４】
【００５３】
本考案の第４の実施例の衝立７０について図１２を用いて説明する。
この衝立７０は、上縦棹７１がアルミニウムの角管からなっている点と、枠体係止装置７２に押しネジ７３を用いる点とが実施例１の衝立１０と異なり、その他の点については衝立１０と同じである。なお、図１２において、衝立１０と同じ部材には、同じ符号を付している。
【００５４】
上縦棹７１は、下縦棹２２に摺動可能に外嵌できるよう、下縦棹２２に用いられているアルミニウムの角管より一回り大きいアルミニウムの角管からできている。また、側面には、押しネジ７３が螺合するネジ孔７４が穿設されている。
【００５５】
押しネジ７３は、軸部７３ａがネジ孔７４に螺合し、その先端が上縦棹７１の内空間で下縦棹２２の側面に当接し、下縦棹２２を押圧して、上枠体７５が下方へ退入しないようにし、上枠体７５を下枠体２８に係止している。また、手で容易に回せるよう、頭部に把持部７３ｂが形成されている。押しネジ７３及びネジ孔７４が枠体係止装置７２である。なお、下縦棹２２の側面には下ピン孔は穿設されていない。
【００５６】
本実施例の衝立７０によれば、実施例１の衝立１０で得られる上記（ａ）〜（ｆ）、（ｈ）〜（ｌ）の効果に加え、次の（ｎ）の効果が得られる。
（ｎ）任意の高さ（１０ｍｍ刻み等の制約がなく連続的）に調整できる。それ故、会場により適した高さにして使用することができる。
【００５７】
なお、本考案は前記実施例に限定されるものではなく、考案の趣旨から逸脱しない範囲で適宜変更して具体化することができる。
【符号の説明】
【００５８】
１０    衝立
１５    幕体
１６    幕体面ファスナー
１８    巻軸
１９    巻軸面ファスナー
２１    脚体
２６    縦棹面ファスナー
２８    下枠体
２９    上枠体
３１    連結装置
３４    枠体係止装置
３８    横棹面ファスナー
５０    衝立
６０    衝立
７０    衝立
７２    枠体係止装置
７５    上枠体
【図１】
0003176167.tif 000003
【図２】
0003176167.tif 000004
【図３】
0003176167.tif 000005
【図４】
0003176167.tif 000006
【図５】
0003176167.tif 000007
【図６】
0003176167.tif 000008
【図７】
0003176167.tif 000009
【図８】
0003176167.tif 000010
【図９】
0003176167.tif 000011
【図１０】
0003176167.tif 000012
【図１１】
0003176167.tif 000013
【図１２】
0003176167.tif 000014